(57)【要約】【課題】座部がほぼ水平の平常の使用態様と、座部が後方に傾斜するリクライニングした使用態様に簡単に座部の角度を変更できる角度調整可能椅子を提供する。【解決手段】前脚１に対して後脚８の高さを低く形成する。この後脚８の下端９に調整スタンド１７を回動可能に枢着する。調整スタンドは下方に延びる接地杆部を有し、調整スタンドを倒伏させると、接地杆部が床に接して後脚の下端は床面２から離れ、後脚の下端は床面から上昇し、座部はほぼ水平になる。調整スタンドを起立させると、接地杆部は床から離れ、後脚は降下し、下端が床面に接し、座部は後方に傾斜してリクライニング状態になる。【選択図】図１
2015173719.tif 000002
【特許請求の範囲】
【請求項１】
座部を支持する前脚、後脚を有し、前脚より後脚の高さを低く形成し、該後脚の下端に下方に屈曲して延びる接地杆部を有する調整スタンドを設け、該調整スタンドが起立位置にあるとき接地杆部が床面から離れて後脚の下端が床面に接地し、調整スタンドが倒伏位置にあるとき接地杆部が床面に接地して後脚の下端が床面から離れるよう上記調整スタンドを後脚に回動可能に枢着した角度調整可能椅子。
【請求項２】
上記調整スタンドの接地杆部は、前後方向に延びる基杆部の両端に設けられている請求項１に記載の角度調整可能椅子。
【請求項３】
上記調整スタンドの接地杆部の前方の接地杆部には、ローラが設けられている請求項１または２に記載の角度調整可能椅子。
【請求項４】
上記調整スタンドの接地杆部の後方の接地杆部は、Ｕ字状に湾曲している請求項１から３のいづれかに記載の角度調整可能椅子。
【請求項５】
上記調整スタンドは、倒伏状態で基杆部が後方に傾斜するよう前方部分で後脚に枢着されている請求項２に記載の角度調整可能椅子。
【請求項６】
後脚間には連結杆が設けられ、上記調整スタンドは起立状態で該連結杆に近接するように枢着されている請求項１に記載の角度調整可能椅子。
【発明の詳細な説明】
【技術分野】
【０００１】
本発明は、通常の状態で着座できるとともに座部を傾けてリラックス状態で着座できるリクライニング椅子としても使用できる角度調整可能椅子に関する。
【背景技術】
【０００２】
椅子は各種の用途で使用できるよう種々の構成の椅子が用意されている。例えば、使用者が認知症患者等の要介護者である場合、安定状態で着座させることができるとともに動作を緩やかに抑制しなければならない場合がある。医療現場では、要介護者が徘徊や自傷行為をしたり、点滴や薬剤チューブの取り外しをしないようにするために、ベッド上で拘束することがある。ベッド上で拘束する代わりに、椅子に着座させて、自由な動さを抑制して事故を防ぐようにするには、椅子は、緩やかに拘束することもできるし、要看護者がリラックスした状態で着座できるよう座部の角度を調整可能に構成されていることが好ましい。
【０００３】
従来、平常時の着座状態と、座部が後方に傾いたリクライニング状態に変化させ座部の角度を変えて使用できるようにした椅子が提案されている(例えば、特許文献１、２参照)。しかし、従来提案されている椅子は、平常状態とリクライニング状態に変化させる際の操作が面倒である。例えば特許文献１に記載の椅子では、脚フレームを支持ピンを中心として前部ストッパーと後部ストッパーとの間で前後に回動できるようにし、通常の椅子として使用するには脚フレームを後部ストッパーに当たる後方に回動させて座部をほぼ水平にしている。リクライニング椅子にするときには脚フレームを前部ストッパーに当たる位置まで前方に回動させて座部が後方に傾斜するようにしている。このように脚フレームを回動させるためには、椅子全体を持ち上げて椅子の下面を通して脚フレームの下部を通過させなければならず、簡単ではない。また、特許文献２に記載の椅子は、中空軸の後端に、後脚に相当する屈曲した軸を有するスライド軸を設け、このスライド軸をスライドさせて座部の角度を変更できるように構成してあるが、この場合も変更操作が面倒であり、安定性、耐久性にも問題がある。
【先行技術文献】
【特許文献】
【０００４】
【特許文献１】実公昭６３−５５７８号公報（実用新案請求の範囲、図面）
【特許文献２】特開昭５４−１００８６９号公報（特許請求の範囲、図面）
【発明の概要】
【発明が解決しようとする課題】
【０００５】
本発明の解決課題は、平常時使用するときには座部がほぼ水平の状態となり、リラックスして使用するには座部が後方に傾斜したリクライニング状態となるよう簡単に座部の角度を変化させて使用することができ、要介護者でも安定状態で着座できるようにした角度調整可能椅子を提供することである。
【課題を解決するための手段】
【０００６】
本発明によれば、座部を支持する前脚、後脚を有し、前脚より後脚の高さを低く形成し、該後脚の下端に、下方に屈曲して延びる接地杆部を有する調整スタンドを設け、該調整スタンドが起立位置にあるとき接地杆部が床面から離れて後脚の下端が床面に接地し、調整スタンドが倒伏位置にあるとき接地杆部が床面に接地して後脚の下端が床面から離れるよう上記調整スタンドを後脚に回動可能に枢着した角度調整可能椅子が提供され、上記課題が解決される。
【０００７】
また、本発明によれば、上記調整スタンドの接地杆部は、前後方向に延びる基杆部の両端に形成され、前方の接地杆部にローラを設け、後方の接地杆部をＵ字状に湾曲させた上記角度調整可能椅子が提供される。
【発明の効果】
【０００８】
本発明は、上記のように構成され、座部を支持する前脚、後脚を有し、前脚より後脚の高さを低く形成し、該後脚の下端に下方に屈曲して延びる接地杆部を有する調整スタンドを設け、該調整スタンドが起立位置にあるとき接地杆部が床面から離れて後脚の下端が床面に接地し、調整スタンドが倒伏位置にあるとき接地杆部が床面に接地して後脚の下端が床面から離れるよう上記調整スタンドを後脚に回動可能に枢着したから、座部がほぼ水平な通常の状態で使用するときには調整スタンドが倒伏状態になるよう調整スタンドを回動させればよい。この回動操作により、調整スタンドの両端の接地杆部が床面に接し、後脚の下端は床面から上昇し、座部をほぼ水平に位置させることができる。リクライニング状態にするには、調整スタンドを起立状態に回動し、後脚の下端を床面に接地させればよい。後脚は前脚より高さが低いので、座部は後方に傾斜し、リクライニング状態の椅子が得られる。これらの操作は、後脚の下端に枢着した調整スタンドを回動させるだけでよいので、操作が容易で構成も簡単である。
【０００９】
また、上記調整スタンドの接地杆部を前後方向に延びる基杆部の両端に形成し、前方の接地杆部にローラを設けると、調整スタンドを倒伏位置や起立状態に回動するとき椅子の後脚を持ち上げるだけでローラが床面を転動して簡単に調整スタンドを回動させることができる。また、後方の接地杆部をＵ字状に湾曲させると、床面を損傷させるおそれがなく、着座時にローラの転動を防止して椅子を安定状態に保持することができる。以上のようにして平常状態とリクライニング状態に簡単に座部の角度を変化させることができ、かつ安定状態に保持できるので、要看護者の椅子として最適であるとともに健常者でも好適に使用することができる。
【図面の簡単な説明】
【００１０】
【図１】本発明の一実施例を示す斜視図。
【図２】調整スタンドを設けた後脚の下端部分の斜視図。
【図３】調整スタンドを倒伏させた状態の側面図。
【図４】調整スタンドを起立させた状態の側面図。
【図５】調整スタンドの回動状態の説明図。
【発明を実施するための形態】
【００１１】
図１は、本発明の一実施例を示し、前脚１は、床面２に接する下端３を有し、該下端３から上方に立ち上がり、後方に湾曲して座枠４を一連に形成している。前脚１及び座枠４間には、両側の前脚１、座枠４を連結する連結杆５、支持板６が設けられている。鎖線で示すように、上記座枠、連結杆、支持板に囲まれた部位にはクッション部材等を有する座部７が形成される。
【００１２】
該座枠４の後端には後脚８が連結されており、後脚８の高さは、上記前脚１の高さより低く(長さを短く)形成されている。したがって、座枠４部分に形成される座部７がほぼ水平にある平常の使用状態では、後脚８の下端９は床面２から離れ、上昇した位置になる。両側の後脚８間には、連結杆１０が設けられている。
【００１３】
上記後脚８は、上方に立ち上がり、背枠１１を構成している。背枠１１には両側から内方にかつ中心部が少し後方に延びながら略く字状に湾曲して延びる背面支持杆１２が設けられ、その前面にはクッション部材等を有する背部１３が形成される。また、背枠１１の上方端１４は後方に屈曲しており、上方端１４間には横杆１５が設けられている。該背枠１１と上記座枠４間には肘掛け枠１６が設けられている。
【００１４】
上記後脚８の下端には調整スタンド１７が設けられている。該調整スタンド１７は、倒伏状態において、前後方向に延びる基杆部１８と、その両端から下方に延びる接地杆部１９、２０を有する。そして、調整スタンド１７が起立位置にあるとき接地杆部１９，２０が床面２から離れて後脚８の下端９が床面２に接地し、調整スタンド１７が倒伏位置にあるとき接地杆部１９、２０が床面に接地して後脚８の下端９が床面２から離れるよう上記調整スタンド１７の基杆部１８は後脚８の内側面にピン２１により回動可能に枢着されている。なお、調整スタンド１７を後脚８の外側に枢着することもできる。
【００１５】
上記ピン２１の位置は、調整スタンド１７が起立状態にあるとき、上記後脚８の連結杆１０に近接する方向に調整スタンド１７が後方から回動しそれ以上の回動が阻止されるようにしてある。また、両側の基杆部１８間には連結杆２２を設けてあり、該連結杆１８は調整スタンド１７を回動するときの手掛とすることができる。
【００１６】
上記調整スタンド１７の接地杆部のうち、前方の接地杆部１９にはローラ２３が設けられている。後方の接地杆部２０はＵ字状に湾曲しており、図３に示すように床面２に接したとき、先端が床面２から離れ、湾曲部２４が床面２に接するようにしてある。ローラ２３と湾曲部２４が床面２に接しているとき、上記基杆部１８が後方に傾斜するよう基杆部は前方部分で後脚に枢着しており、これにより調整スタンド１７は安定状態に定置される。なお、接地杆部の両端にローラを設けたり、若しくはいずれの端部にもローラを設けないこともできる。上記調整スタンドは、両端の接地杆部の下端を適宜の連結杆で連結したり、その他種々の形態に形成することができる(図示略)。
【００１７】
上記の構成により調整スタンド１７が倒伏状態にあるときは、図３に示すように接地杆部１９、２０が床面２に接するから、接地杆部の高さ分、後脚８が上昇し、その下端９は床面２から離れ、座部７はほぼ水平状態になり、平常使用するように着座することができる。
【００１８】
図３に示す状態から、図５の鎖線で示すように調整スタンド１７を回動して起立させると、調整スタンド１７は基杆部１８がほぼ後脚８に沿う状態に起立し、接地杆部は床面から離れる。その結果、後脚８は降下し、下端９が床面２に接し、座部７が後方に傾斜したリクライニング状態になる。
【００１９】
以上のようにして本発明の椅子は平常の使用状態とリラックスしたリクライニング状態に簡単に座部の角度を変換して使用することができ、要看護者を安定状態に着座させることができる。
【符号の説明】
【００２０】
１    前脚
２    床面
７    座部
８    後脚
９    (後脚の)下端
１１  背枠
１７  調整スタンド
１８  基杆部
１９、２０  接地杆部
２１  ピン
２３  ローラ
【図１】
2015173719.tif 000003
【図２】
2015173719.tif 000004
【図３】
2015173719.tif 000005
【図４】
2015173719.tif 000006
【図５】
2015173719.tif 000007